(57)【要約】【課題】  本発明は魚釣用リールに係り、ドラグレバーのガタ付きをなくし、操作性の改善等を図った魚釣用リールを提供することを目的とする。【解決手段】  請求項１に係る発明は、リール本体の一側板側に設けたドラグレバーの前後方向の回転操作で、リール本体の側板間に回転自在に支持したスプールに制動力を付与するドラグ機構を備えた魚釣用リールに於て、前記ドラグレバー側の側板対向面または前記側板側のドラグレバー対向面のいずれか一方に、ドラグレバーより軟質で摺動性の良好な摺接部材を装着し、ドラグレバーの回転操作時に、前記摺接部材を前記側板またはドラグレバーに摺接可能としたことを特徴とする。  そして、請求項２に係る発明は、請求項１に記載の魚釣用リールに於て、前記摺接部材を、該摺接部材が取り付く前記対向面に着脱可能としたことを特徴とする。【選択図】    図２
2010099047.tif 000002
【特許請求の範囲】
【請求項１】
リール本体の一側板側に設けたドラグレバーの前後方向の回転操作で、リール本体の側板間に回転自在に支持したスプールに制動力を付与するドラグ機構を備えた魚釣用リールに於て、
前記ドラグレバー側の側板側対向面または前記側板側のドラグレバー対向面のいずれか一方に、ドラグレバーより軟質で摺動性の良好な摺接部材を装着し、
ドラグレバーの回転操作時に、前記摺接部材を前記側板またはドラグレバーに摺接可能としたことを特徴とする魚釣用リール。
【請求項２】
前記摺接部材を、該摺接部材が取り付く前記対向面に着脱可能としたことを特徴とする請求項１に記載の魚釣用リール。
【発明の詳細な説明】
【技術分野】
【０００１】
本発明は、リール本体の側板間に回転自在に支持したスプールの回転に制動力を付与するドラグ機構を備えた魚釣用リールに関する。
【背景技術】
【０００２】
リール本体の一方の側板に設けたドラグレバーの前後方向への回転操作で、リール本体の側板間に回転自在に支持したスプールを軸方向へ押圧して、該スプールの釣糸繰出し方向への回転に制動力（ドラグ力）を付与するドラグ機構を備えた魚釣用リール（レバードラグリール）が特許文献１や特許文献２で知られている。
【０００３】
而して、この種の魚釣用リールは、スプールの巻取り操作時に大きな力が掛けられることから、主に中型から大型の魚釣用リールで広く使用されており、釣場の状況に応じドラグレバーを前後方向へ回転操作して、スプールに付与される制動力の強弱を増減調節して魚とのファイティング等に対応している。
【特許文献１】実開昭６０−７２１７２号公報
【特許文献２】実開昭６２−１６２９６８号公報
【発明の開示】
【発明が解決しようとする課題】
【０００４】
しかし乍ら、従来、この種の魚釣用リールは、ドラグレバーを手前側へ回転操作して制動力を弱く設定した場合、ドラグレバーのカム作用によってスプールを軸方向へ押圧する力が小さくなるため、ドラグレバーのリール本体に対する挟持力が弱くなってドラグレバーがガタ付いてしまうことがある。
【０００５】
そして、斯様にドラグレバーがガタ付いてしまうと、ドラグレバーの作動が安定しないためにリール本体の側板に当たって側板やドラグレバー自体に傷が付いたり、ドラグレバーの操作性に支障を来してしまう虞がある。
【０００６】
また、斯様に側板やドラグレバーに傷が付いてしまうと、そこから腐食が発生してしまう等の問題もあった。
【０００７】
本発明は斯かる実情に鑑み案出されたもので、ドラグレバーのガタ付きをなくし、操作性の改善等を図った魚釣用リールを提供することを目的とする。
【課題を解決するための手段】
【０００８】
斯かる目的を達成するため、請求項１に係る発明は、リール本体の一側板側に設けたドラグレバーの前後方向の回転操作で、リール本体の側板間に回転自在に支持したスプールに制動力を付与するドラグ機構を備えた魚釣用リールに於て、前記ドラグレバー側の側板対向面または前記側板側のドラグレバー対向面のいずれか一方に、ドラグレバーより軟質で摺動性の良好な摺接部材を装着し、ドラグレバーの回転操作時に、前記摺接部材を前記側板またはドラグレバーに摺接可能としたことを特徴とする。
【０００９】
そして、請求項２に係る発明は、請求項１に記載の魚釣用リールに於て、前記摺接部材を、該摺接部材が取り付く前記対向面に着脱可能としたことを特徴とする。
【発明の効果】
【００１０】
請求項１に係る発明によれば、ドラグレバーを回転操作してドラグ機構の制動力の強弱を増減調節する際に、摺接部材の案内支持によって、ガタ付きに伴うドラグレバーの側板への直接的接触を回避することができ、この結果、良好なドラグレバーの回転操作性の維持を図り乍ら、外傷発生による作動の低下や腐食といった従来の不具合を確実に防止することが可能となる。
【００１１】
そして、請求項２に係る発明によれば、摺接部材が着脱自在であるため、劣化した摺接部材の交換が容易である。
【発明を実施するための最良の形態】
【００１２】
以下、本発明の実施形態を図面に基づいて詳細に説明する。
【００１３】
図１乃至図４は請求項１の第一実施形態に係る魚釣用リール（レバードラグリール）を示し、図１に示すようにリール本体１に回転可能且つ軸方向へ移動可能に支持されたスプール軸３にスプール５が軸受７，９を介して遊転支承され、ハンドル１１のハンドルアーム１１ａが取り付く筒状のハンドル軸１３からの動力をスプール５に伝達させるギヤ変速機構１５とドラグ機構１７を備えて、本実施形態に係る魚釣用リール１９が構成されている。
【００１４】
図２に示すようにギヤ変速機構１５は、ハンドル軸１３の外周に遊転支承した高速巻取り用の高速出力ギヤ（高速ギヤ）２１と低速巻取り用の低速出力ギヤ（低速ギヤ）２３、そして、これらに噛合してスプール軸３の外周に遊転支承された高速入力ギヤ２５及び低速入力ギヤ２７と、ハンドル軸１３からの動力を高速出力ギヤ２１，低速出力ギヤ２３のいずれか一方に伝達するために、高速出力ギヤ２１と低速出力ギヤ２３に設けた係合孔２１ａ，２３ａに係合可能な係合部材（コマ）２９と、該係合部材２９の位置を設定する操作機構３１とで構成されており、前記高速出力ギヤ２１と低速出力ギヤ２３は、ハンドル軸１３の挿入側先端のネジ部３３に螺着したナット３５の締付力で、押さえプレート３７とワッシャ３９とで挟持されてハンドル軸１３の外周にカラー４１を介して遊転支承されている。
【００１５】
そして、前記係合孔２１ａ，２３ａは、夫々、９０°の間隔を空けて高速出力ギヤ２１と低速出力ギヤ２３に設けられており、前記係合部材２９は、ハンドル軸１３の挿入側先端に設けた一対のスリット４３にスライド自在に回り止め，支持されている。
【００１６】
また、図２に示すようにハンドル軸１３の側板４５外突出端にハンドルアーム１１ａが回り止め嵌合され、ハンドル軸１３の内部に、外部から押圧操作可能な前記操作機構３１が軸方向へ移動可能に組み込まれている。
【００１７】
周知のように操作機構３１は、先端に前記係合部材２９を螺着して一体化した軸部材４７と、外部から押圧操作可能な操作軸４９と、該操作軸４９と軸部材４７の大径頭部５１との間に設けたコイルスプリング５３、そして、前記大径頭部５１とハンドル軸１３の挿入先端側内周に突設した段部５５との間に設けたコイルスプリング５７とからなり、係合部材２９はコイルスプリング５３，５７により軸方向両側に付勢されている。そして、操作軸４９の外端部に周溝５９が設けられている。
【００１８】
而して、前記コイルスプリング５３はコイルスプリング５７よりもバネ力が強めに設定されており、操作軸４９をハンドル軸１３内に押込み操作すると、コイルスプリング５３のバネ力でコイルスプリング５７が縮みながら軸部材４７が押圧されて係合部材２９が低速出力ギヤ３の係合孔２３ａに係合し、また、図２に示すようにコイルスプリング５３，５７の復元力で軸部材４７がハンドル１１方向に移動して操作軸４９が引き出された状態にあるとき、係合部材２９が高速出力ギヤ２１の係合孔２１ａに係合するようになっている。
【００１９】
従って、係合部材２９が低速出力ギヤ３の係合孔２３ａに係合すると、ギヤ変速機構１５は低速状態となり、図２の如く係合部材２９が高速出力ギヤ２１の係合孔２１ａに係合すると、ギヤ変速機構１５は高速状態に切り換わることとなる。
【００２０】
そして、図１及び図２に示すようにハンドル１１には、前記周溝５９に係合可能な周知のストッパ６１が装着されており、図示しないがギヤ変速機構１５が低速状態にあるとき、ストッパ６１が周溝５９に係止して操作軸４９を位置決め保持する。
【００２１】
前記ストッパ６１は、ハンドルアーム１１ａの基部を覆うハンドルカバー６３内に回動可能に装着された周知の操作レバー６５と面一に配置されており、該ストッパ６１に設けた２本の係合片（図示せず）が、操作レバー６５の内周に設けた係合突部（図示せず）を挟持して操作レバー６５と連結するように一体化されている。
【００２２】
また、図２に示すように前記ハンドル軸１３は、側板４５の内方側と外方側に離間して配設された軸受６７，６９を介して回転可能に支持され、両軸受６７，６９間の側板４５内に、転がり式一方向クラッチ（以下、「一方向クラッチ」という）７１が装着されている。
【００２３】
そして、一方向クラッチ７１の転がり部材７３がハンドル軸１３の外周に接触して、この筒状のハンドル軸１３が一方向クラッチ７１の内輪として機能しており、一方向クラッチ７１は、ハンドル軸１３（ハンドル１１）の正転方向（釣糸巻取り方向）への回転を許容し、その楔作用でハンドル軸１３（ハンドル１１）の逆転方向（釣糸繰出し方向）への回転を規制する逆転防止機構として機能し、そして、前記ドラグ機構１７に圧接結合するスプール５の逆転防止機構としても機能する。
【００２４】
一方、図１及び図２に示すように前記ドラグ機構１７は、従来と同様、スプール５のスプールフランジ７５に取り付けた摩擦板７７と、該摩擦板７７に圧接可能なドラグディスク７９を備え、該ドラグディスク７９は、前記低速入力ギヤ２７と一体的に連結する軸受部材８１に固着され、該低速入力ギヤ２７に前記高速入力ギヤ２５が一体的に連結している。
【００２５】
そして、前記軸受部材８１の外周に、スプール５の釣糸繰出し方向への逆転防止を図るラチェット８３が前記ドラグディスク７９と対向して固着されており、該ラチェット８３に、リール本体１に取り付く係止爪８５が係止している。
【００２６】
このように本実施形態は、ハンドル軸１３上の一方向クラッチ７１による逆転防止機構と、スプール軸３上のラチェット８３による逆転防止機構とによって、スプール５の釣糸繰出し方向への逆転防止を図っている。
【００２７】
而して、前記ドラグ装置１７の制動力の調節は次のように行う。
【００２８】
ハンドル１１側のスプール軸３の端部には、スプール軸３と同軸心上に配置したカム体８７の位置調節を行う回動ノブ８９が螺合しており、カム体８７と側板４５との間に、スプール軸３の軸心と同軸心周りで回転操作可能なドラグレバー９１が配置されている。そして、既述したようにスプール５は、軸受７，９を介してスプール軸３に遊転支承され、反ハンドル側に装着した皿バネ９３によって位置が規制されている。
【００２９】
そして、従来と同様、カム体８７とドラグレバー９１のレバーアーム９５との夫々のカム面は乗り上り型に構成してあり、魚釣用リール１９の前方（図３中、矢印Ａ方向）へドラグレバー９１を回転操作すると、スプール軸３がハンドル１１側へ押圧されてスプール５が同方向（軸方向）へスライドし、ドラグレバー９１を手前側（図３中、矢印Ｂ方向）へ回転操作すると、スプール軸３に巻装したコイルスプリング９７の復元力等でスプール５が反ハンドル側へ押圧されて、同方向へスプール５がスライドするようになっている。
【００３０】
従って、前記回転ノブ８９を操作してカム体８７を適当な位置に設定して、ドラグレバー９１を矢印Ａ方向へ回転操作すれば、スプール５がドラグディスク７９の方向へスライドする結果、摩擦板７７とドラグディスク７７との摩擦力が増大して制動力が強くなり、逆にドラグレバー９１を矢印Ｂ方向へ操作してスプール５が反ハンドル側に押し込まれた場合にはドラグ機構１７の制動力が低下する。そして、摩擦板７７とドラグディスク７９とを離間させれば、ドラグ機構１７の制動力が皆無となって、スプール５の転動を許容する。
【００３１】
ところで、既述したように、従来、この種の魚釣用リールは、ドラグレバーを操作して制動力を弱く設定した場合、ドラグレバーのカム作用によってスプールを軸方向へ押圧する力が小さくなるため、ドラグレバーのリール本体に対する挟持力が弱くなってドラグレバーがガタ付いてしまうことがある。
【００３２】
そこで、図１，図２及び図４に示すように本実施形態は、前記ドラグレバー９１の側板対向面、即ち、前記レバーアーム９５に小孔９９を１つ設け、そして、従来、レバーアーム９５は金属やＦＲＰ等で形成されているため、前記小孔９９に、レバーアーム９５よりも軟質で摺動性の良好な材料（例えば、耐摩耗性に優れていることにより、樹脂材の中でも特にポリアセタール樹脂（ＰＯＭ）等）を用いて断面Ｔ字状の摺接部材１０１を形成し、該摺接部材１０１の筒状部１０１ａを、レバーアーム９５の側板対向面１０３側から前記小孔９９に挿入，固着（一例として接着剤による固定）して、摺接部材１０１のフランジ部１０１ｂを、ドラグレバー９１の回転操作時に前記側板４５に常時摺接可能としたことを特徴とする。
【００３３】
尚、本実施形態は摺接部材１０１を小孔９９に固着したが、請求項２の一実施形態の如く、摺接部材１０１を小孔９９に着脱可能に取り付けてもよい。また、前記小孔９９は正面視円形状でも正面視四角形状でもよく、摺接部材１０１の筒状部１０１ａは小孔９９に挿着可能な断面形状とすればよい。
【００３４】
その他、図４中、１０５はレバーアーム９５の先端側の取付孔１０７に挿着されたドラグレバー９１のツマミである。
【００３５】
本実施形態はこのように構成されているから、釣糸を繰り出すには、前記ドラグレバー９１を手前（図３中、矢印Ｂ方向）へ操作して摩擦板７７とドラグディスク７９とを離間させればよく、スプール５はフリーとなって釣糸繰出し方向へと回転して釣糸が繰り出される。
【００３６】
一方、魚のアタリがあって釣糸を巻き取るには、ドラグレバー９１を前方（図３中、矢印Ａ方向）へ操作してスプール５（スプール軸３）をハンドル１１側へスライドさせて摩擦板７７をドラグディスク７９に圧接させればよく、ドラグレバー９１の前後方向への微妙な操作でドラグ機構１７の制動力が調節される。
【００３７】
そして、ドラグレバー９１を前後方向へ操作してドラグ機構１７の制動力の強弱を増減調節する際に、レバーアーム９５の小孔９９に挿着した摺接部材１０１のフランジ部１０１ｂが側板４５に常時摺接することとなる。
【００３８】
従って、本実施形態によれば、たとえ、ドラグレバー９１を手前へ操作してドラグ機構１７の制動力が小さくなっても、側板４５に常時摺接する摺接部材１０１の案内支持によって、ガタ付きに伴うドラグレバー９１の側板４５への直接的接触を回避することができ、この結果、良好なドラグレバー９１の回転操作性の維持を図り乍ら、外傷発生による作動の低下や腐食といった従来の不具合を確実に防止することが可能となった。
【００３９】
図５は請求項１及び請求項２の一実施形態に係る魚釣用リールに装着されたドラグレバー９１-1の要部拡大断面図を示し、本実施形態は、前記摺接部材１０１に代え、前記小孔９９に挿着させる摺接部材１０９の筒状部１０９ａを、先端に小孔９９の外周縁部に係止する係止爪１１１が形成された一対の弾性を有し対向する係止片１１３で形成して、摺接部材１０９をレバーアーム９５に着脱自在に構成すると共に、側板４５に常時摺接させるフランジ部１０９ｂを断面円弧状に形成したもので、摺接部材１０９は前記摺接部材１０１と同一材料で形成されている。
【００４０】
尚、発明部分を除くその他の構成は図１の実施形態と同様であるため、それらの説明は省略する。
【００４１】
本実施形態はこのように構成されているから、ドラグレバー９１-1を前後方向へ操作してドラグ機構１７の制動力の強弱を増減調節する際に、レバーアーム９５に挿着した摺接部材１０９のフランジ部１０９ｂが側板４５に常時摺接するため、前記実施形態と同様、所期の目的を達成することが可能で、良好なドラグレバー９１-1の回転操作性の維持を図り乍ら、外傷発生による作動の低下や腐食といった従来の不具合を確実に防止することが可能である。
【００４２】
また、前記摺接部材１０９はレバーアーム９５に対して着脱自在であるため、劣化した摺接部材１０９の交換が容易である。
【００４３】
図６は請求項１の第二実施形態に係る魚釣用リールに装着されたドラグレバー９１-2の要部拡大断面図を示し、本実施形態は、レバーアーム９５の側板対向面１０３に凹状の取付孔１１５を形成すると共に、該取付孔１１５内にコイルスプリング１１７の他端側を固着して、前記摺接部材１０１と同一材料で形成したブロック状の摺接部材１１９を、前記コイルスプリング１１７のバネ力で側板４５に常時摺接させたもので、摺接部材１１９はコイルスプリング１１７の他端側に固着されている。
【００４４】
尚、本実施形態に於ても、発明部分を除くその他の構成は図１の実施形態と同様であるため、それらの説明は省略する。
【００４５】
本実施形態はこのように構成されているから、ドラグレバー９１-2を前後方向へ操作してドラグ機構１７の制動力の強弱を増減調節する際に、レバーアーム９５に挿着した摺接部材１１９が側板４５に常時摺接するため、前記各実施形態と同様、所期の目的を達成することが可能で、良好なドラグレバー９１-2の回転操作性の維持を図り乍ら、外傷発生による作動の低下や腐食といった従来の不具合を確実に防止することが可能である。
【００４６】
而も、本実施形態によれば、ドラグレバー９１-2のリール本体１に対する挟持力の変化を前記コイルスプリング１１７が吸収するため、前記各実施形態に比しドラグレバー９１-2の操作性が更に良好となる。
【００４７】
尚、既述した各実施形態は、摺接部材１０１，１０９，１１９をドラグレバー９１，９１-1，９１-2側に装着したが、摺接部材を側板側のドラグレバー対向面に装着してもよい。
【００４８】
図７は請求項１の第三実施形態に係る魚釣用リールに装着されたドラグレバー９１-3とこれに対向する側板４５-1の要部拡大断面図を示し、図中、１２１は側板４５-1側のドラグレバー対向面１２３に、ドラグレバー９１-3の支点を中心に正面視円弧状に形成した取付溝で、該取付溝１２１はドラグレバー９１-3の操作範囲（図３中、二点鎖線で示すドラグレバーの操作範囲）に亘って形成されている。
【００４９】
そして、本実施形態は、前記取付溝１２１内の全長に、レバーアーム９５の側板対向面１０３に常時摺接する断面矩形状の摺接部材１２５を固着したもので、摺接部材１２５は前記摺接部材１０１と同一材料で形成されている。
【００５０】
尚、本実施形態に於ても、発明部分を除くその他の構成は図１の実施形態と同様であるため、それらの説明は省略する。
【００５１】
本実施形態はこのように構成されており、本実施形態によっても、既述した各実施形態と同様、所期の目的を達成することが可能で、良好なドラグレバー９１-3の回転操作性の維持を図り乍ら、外傷発生による作動の低下や腐食といった従来の不具合を確実に防止することが可能となる。
【００５２】
図８は請求項１の第四実施形態に係る魚釣用リールに装着されたドラグレバー９１-3とこれに対向する側板４５-2の要部拡大断面図を示し、図中、１２７は側板４５-2側のドラグレバー対向面１２９に開口する取付溝、１３１は側板４５-2の裏面側に開口する挿通溝で、該挿通溝１３１は取付溝１２７の裏面側に連通して幅狭とされている。そして、取付溝１２７と挿通溝１３１は、何れも前記取付溝１２１と同一の範囲に亘って正面視円弧状に形成されている。
【００５３】
そして、本実施形態は、前記挿通溝１３１に沿って正面視円弧状の支持片１３３を内外へスライド可能に挿通し、更に、該支持片１３３の先端に前記摺接部材１２５を装着し、該摺接部材１２５の裏面側にコイルスプリング１３５を装着して摺接部材１２５に弾性を持たせると共に、支持片１３３の後端側に抜け止めプレート１３７を装着した構造となっている。
【００５４】
本実施形態はこのように構成されており、ドラグレバー９１-3のリール本体１に対する挟持力の変化を前記コイルスプリング１３５が吸収するため、本実施形態によっても、図６の実施形態と同様の作用効果が得られる。
【図面の簡単な説明】
【００５５】
【図１】請求項１の第一実施形態に係る魚釣用リールの断面図である。
【図２】魚釣用リールの要部拡大断面図である。
【図３】魚釣用リールの側面図である。
【図４】ドラグレバーの要部拡大断面図である。
【図５】請求項１及び請求項２の一実施形態に係る魚釣用リールに装着されたドラグレバーの要部拡大断面図である。
【図６】請求項１の第二実施形態に係る魚釣用リールに装着されたドラグレバーの要部拡大断面図である。
【図７】請求項１の第三実施形態に係る魚釣用リールに装着されたドラグレバーとこれに対向する側板の要部拡大断面図である。
【図８】請求項１の第四実施形態に係る魚釣用リールに装着されたドラグレバーとこれに対向する側板の要部拡大断面図である。
【符号の説明】
【００５６】
１  リール本体
３  スプール軸
５  スプール
１１  ハンドル
１１ａ  ハンドルアーム
１３  ハンドル軸
１５  ギヤ変速機構
１７  ドラグ機構
１９  魚釣用リール
４５，４５-1，４５-2  側板
６５  操作レバー
７１  一方向クラッチ
７７  摩擦板
７９  ドラグディスク
８３  ラチェット
８７  カム体
８９  回動ノブ
９１，９１-1，９１-2，９１-3  ドラグレバー
９３  皿バネ
９５  レバーアーム
９７，１１７，１３５  コイルスプリング
９９  小孔
１０１，１０９，１１９，１２５  摺接部材
１０１ａ，１０９ａ  筒状部
１０１ｂ，１０９ｂ  フランジ部
１０３  側板対向面
１０５  ツマミ
１１１  係止爪
１１３  係止片
１１５  取付孔
１２１，１２７  取付溝
１２３，１２９  ドラグレバー対向面
１３１  挿通溝
１３３  支持片
１３７  抜け止めプレート
【図１】
2010099047.tif 000003
【図２】
2010099047.tif 000004
【図３】
2010099047.tif 000005
【図４】
2010099047.tif 000006
【図５】
2010099047.tif 000007
【図６】
2010099047.tif 000008
【図７】
2010099047.tif 000009
【図８】
2010099047.tif 000010